(57)【要約】      （修正有）【課題】滑走板本来の柔軟性を損なうことなく、また、嵩上げによる違和感の少ない簡易なバインディング設置角度調整用スペーサーを提供する。【解決手段】スノーボードなどの滑走板に設置されるバインディングの設置角度を調整するために滑走板とバインディングとの間に挟んで配置されるスペーサーであって、滑走板に設置した場合の滑走板直進方向の断面形状が楔型である。【選択図】図１
0003167531.tif 000002
【実用新案登録請求の範囲】
【請求項１】
スノーボードなどの滑走板に設置されるバインディングの設置角度を調整するために滑走板とバインディングとの間に挟んで配置されるスペーサーであって、
滑走板に設置した場合の滑走板直進方向の断面形状が楔型であるバインディング設置角度調整用スペーサー。
【請求項２】
前記断面形状は、楔型の先端部分に厚さが変化しない平坦部を有する請求項１に記載のバインディング設置角度調整用スペーサー。
【請求項３】
平面形状は、バインディングにブーツを固定した状態で、かかと側からつま先側に向かう中心線に対して左右非対称である請求項１又は２に記載のバインディング設置角度調整用スペーサー。
【考案の詳細な説明】
【技術分野】
【０００１】
本件考案は、スノーボードなどの滑走板に設置されるバインディングの設置角度を調整するために滑走板とバインディングとの間に挟んで配置されるスペーサーに関する。
【背景技術】
【０００２】
スノーボードやスノーサーフィンなどを行う際、実施者（スノーボーダー、スノーサーファー）は両膝を内側に入れた内股の姿勢をとる。そのような姿勢をとることにより足裏の内側に荷重をかけ滑走板の制御をする。しかし、初心者や脚力が強くない者にとっては、そのような姿勢を維持することが困難である場合が少なくない。そこで、そのような姿勢を維持し易くするために、ブーツの底面を任意の角度で内側に傾けて固定することのできる機構を備えるバインディングが開発されている。
【０００３】
しかしながら、このような機構が備えられているバインディングは比較的高価であり、買い換えて使用するためには相応の出費が強いられる。また、買い替えにより既に所有しているバインディングが無用になってしまう。そこで、ブーツが内側に傾いて固定されるように滑走板とバインディングとの間に挟まれて配置されるスペーサーが開発されている。
【先行技術文献】
【特許文献】
【０００４】
【特許文献１】実用新案登録第３０７０１４８号
【考案の概要】
【考案が解決しようとする課題】
【０００５】
特許文献１において開示されているのは、バインディングを滑走板に対して嵩上げすることを主な目的とするスペーサーに関する技術である。このスペーサーは、所定の厚みを有することで嵩上げするとともに、滑走板に対してバインディングを傾斜させるために、スペーサーの下面に対して平行ではない上面を有するものである。
【０００６】
しかしながら、特許文献１のようにバインディングを滑走板に対して嵩上げすると、雪面に対する足裏の位置が嵩上げした分高くなり、滑走時に違和感を感じたり、滑りにくくなってしまうという問題がある。
【課題を解決するための手段】
【０００７】
本件考案では上記課題に鑑み以下に示すバインディング設置角度調整用スペーサーを提供する。すなわち第一の考案としては、スノーボードなどの滑走板に設置されるバインディングの設置角度を調整するために滑走板とバインディングとの間に挟んで配置されるスペーサーであって、滑走板に設置した場合の滑走板直進方向の断面形状が楔型であるバインディング設置角度調整用スペーサーを提供する。
【０００８】
第二の考案としては、前記断面形状は、楔型の先端部分に厚さが変化しない平坦部を有する第一の考案に記載のバインディング設置角度調整用スペーサーを提供する。
【０００９】
第三の考案としては、平面形状は、バインディングにシューズを固定した状態で、かかと側からつま先側に向かう中心線に対して左右非対称である請求項１又は２に記載のバインディング設置角度調整用スペーサーを提供する。
【考案の効果】
【００１０】
嵩上げによる違和感や滑りにくさが生じにくい簡易なバインディング設置角度調整用スペーサーを提供することができる。
【図面の簡単な説明】
【００１１】
【図１】実施形態１のスペーサーの概念図
【図２】滑走板の直進方向と滑走板に配置した実施形態１のスペーサーを示す概念図
【図３】実施形態１のスペーサーの使用例をバインディングのかかと側から視た図
【図４】実施形態２のスペーサーの概念図
【図５】実施形態２のスペーサーを重ねた使用例の概念図
【図６】実施形態２のスペーサーの具体例を示す図
【考案を実施するための形態】
【００１２】
以下、本件考案の実施の形態について説明する。なお、本件考案は、これら実施形態に何ら限定されるべきものではなく、その要旨を逸脱しない範囲において、種々なる態様で実施し得る。
【００１３】
実施形態１は、主に請求項１などに関する。実施形態２は、主に請求項２、３などに関する。
<実施形態１>
<実施形態１  概念>
【００１４】
本実施形態のバインディング設置角度調整用スペーサー（以下、スペーサーと省略して記載する）の概念図を図１に示す。スペーサー（０１０１）は、平面形状において、その中央領域に滑走板にバインディングを固定するためのネジが貫通するようにネジ穴（０１０２）が設けられる。そして、スペーサーの上面が下面に対して傾くように断面形状（０１０３）が楔型となるように形成される。このスペーサーを、滑走板とバインディングとの間に挟んで配置することで、バインディングにより固定されるブーツの底面が滑走板に対して傾いた状態で固定される。
<実施形態１  構成>
【００１５】
本実施形態のスペーサーは、スノーボードなどの滑走板に設置されるバインディングの設置角度を調整するために滑走板とバインディングとの間に挟んで配置されるものである。ここで、「設置角度」とは、バインディングを設置した状態で、バインディングが設置される滑走板の上面とバインディングの底面とがなす角度をいう。バインディングが滑走板に対して傾いて設置されることにより、バインディングにより固定されるブーツにおいても同様に滑走板に対して傾いた状態となる。
【００１６】
図２は、滑走板の直進方向と滑走板に配置したスペーサーを示す概念図である。図示したのは、滑走板の前方に左足を置き、その後方に右足を置くレギュラースタンスの場合を示したものである。この場合において、滑走板（０２０１）の直進方向は図中の矢印（０２０４）で示すように後足となる右足から前足となる左足へ向かう方向となる。左足を置く位置と右足を置く位置とにそれぞれスペーサー（０２０２、０２０３）が配置される。なお、スペーサーは必ずしも両足分配置するものではなく、片方だけに配置してもよい。
【００１７】
図３は、スペーサーの使用例をバインディングのかかと側から視た図である。滑走板（０３０１）とバインディング（０３０２）との間に挟んで配置されるスペーサー（０３０２）は、滑走板直進方向（０３０４）の断面形状が、頂角θの楔型となっている。このθの傾きにより実施者は容易に膝を内側に入れる姿勢をとることができる。この頂角θは任意に定めることができるが、例えば、２度から１０度程度であることが実施者に違和感を与えることなく好ましい。また、例えば頂角θが２度のスペーサーを複数枚重ねて滑走板とバインディングとの間に挟んで配置することにより、２度の整数倍の頂角を有するスペーサーとして用いることもできる。
【００１８】
このようにスペーサーの断面形状を楔型とすることにより、滑走板に対してバインディングの設置位置を高くすることなく傾斜だけを設けることが可能になり、バインディングが嵩上げされることによる違和感や滑りにくさを生じさせることがない。
【００１９】
スペーサーの材量は、例えば、クロロプレンゴムなどのような弾性を有する材料であることが好ましい。例えば、特許文献１に記載のスペーサーは、中央領域を変形不能な材料で形成するものである。ここで、スノーボードなどの滑走板は、滑走スタイルや実施者の技量に応じて適正な硬さが設定されている。初心者や脚力の強くない者にとっては比較的柔軟性を備える滑走板が好ましい。ところが、上記特許文献に開示の技術のように変形不能な材料を含むスペーサーが配置されると、本来滑走板に備えられている柔軟性が損なわれ、滑走板本来の性能が発揮されず、実施者の技量などとのマッチングも悪化する場合がある。そこで、スペーサーを弾性材料により形成することで、滑走板が本来備える柔軟性を損なうことを防止することができる。また、脚に対する衝撃を緩和させる効果も得られる。
【００２０】
さらには、一般的なハサミやカッターなどで切ることのできる材量を用いることが好ましい。バインディングの形状は多様であるので、使用するバインディングの形状に沿うようにスペーサーの形状を切除して整えることが可能となり、見栄えを損なうことも防止できる。
<実施形態１  効果>
【００２１】
本実施形態のスペーサーにより、バインディングの嵩上げによる違和感や滑りにくさが生じにくい簡易なバインディング設置角度調整用スペーサーを提供することができる。
<実施形態２>
<実施形態２  概要>
【００２２】
本実施形態のスペーサーは、実施形態１のスペーサーを基本とし、楔型の先端部分に厚さが変化しない平坦部を有することを特徴とする。平坦部は、設置角度を設けることに直接的に寄与するものではないが、滑走板との接触面積を増加させることによりバインディングがずれにくくなる。また、スペーサーを複数枚重ねて使用する場合には、滑走板と接するスペーサー以外のスペーサーの平坦部を切除することで、各スペーサーを密着して重ねることができる。
<実施形態２  構成>
【００２３】
図４は、本実施形態のスペーサーの概念図である。スペーサー（０４０１）の断面形状は、楔型の先端部分に厚さが変化しない平坦部（０４０２）を有する。平坦部の厚さは、例えば、０．５〜２ｍｍ程度が好ましい。薄過ぎると強度が低下するおそれがあり、厚過ぎるとバインディングの位置が高くなり、また、スペーサーの重量増を招くからである。
【００２４】
図５は、２枚のスペーサーを重ねて使用する態様を示す概念図である。滑走板（０５０３）に接するスペーサー（０５０１）は平坦部を有するものである。その上に重ねられるスペーサー（０５０２）は平坦部が切除されている。平坦部を切除することで各スペーサーを密着して重ねることができる。
【００２５】
また、スペーサーの平面形状を、バインディングにブーツを固定した状態で、かかと側からつま先側に向かう中心線に対して左右非対称となるようにしてもよい。図４に記されている鎖線（０４０３）が、この中心線である。図４のスペーサーは、中心線に対して左側に楔型の先端部分と平坦部があり、左側を右側に対して大きめの形状としている。このように左右の形状を非対称とすることで、左右非対称な形状である足裏やブーツの底面に合わせることができる。
【００２６】
図４のスペーサーは、右足の膝が内側に入りやすくするための右足用として想定したものである。すなわち、右足の外側から内側に向けて下る傾斜を有する楔型の断面形状を有している。そして、平面形状においては、つま先側の湾曲が左右で異なり、また、その面積は左側の方がやや広くなっている。使用時には右足裏の親指側が、スペーサーの左側に置かれることになる。滑走時により荷重をかける親指側の面積がより広くなっていることにより、その荷重を十分に滑走板に伝えることができる。荷重をかける程度が小さい小指側については面積を狭くすることで軽量化を図ることができる。なお、上述した右足用のスペーサーと対称となるスペーサーを左足用としてもよいし、あるいは、右足用のスペーサーを裏返して左足用とすることも、弾性材料を用いることで可能となる。
【００２７】
図６は、本実施形態のスペーサーの具体例である。スペーサー（０６０１）における各寸法は図示の通りである。また、Ａ−Ａ断面（０６０２）における各寸法は図示の通りである。
<実施形態２  効果>
【００２８】
本実施形態のスペーサーにより、複数枚重ねて使用する場合の各スペーサーの密着性が向上する。また、上記中心線に対して左右非対称とすることにより足裏やブーツ底面の形状にあったスペーサーを提供することができる。
【符号の説明】
【００２９】
０３０１  滑走板
０３０２  バインディング
０３０３  バインディング設置角度調整用スペーサー
【図１】
0003167531.tif 000003
【図２】
0003167531.tif 000004
【図３】
0003167531.tif 000005
【図４】
0003167531.tif 000006
【図５】
0003167531.tif 000007
【図６】
0003167531.tif 000008